(57)【要約】【課題】  侵入者と、植木等の植栽や小動物、外乱等とを区別して、侵入者に対して効率よく報知や威嚇、警報等を発報することができ、防犯センサとしての信頼性を確保することのできる防犯センサを提供する。【解決手段】  ビームセンサ部（３）を具備するビーム方式検知ユニット（２）複数を建物の周囲に配設されたフェンス（５）よりも上部に位置するように、かつ、適宜間隔で対向配設させて、隣接する一方のビーム方式検知ユニット（２）のビームセンサ部（３）と他方のビーム方式検知ユニット（２）のビームセンサ部（３）との間で赤外線の送受を行う防犯センサ（１）において、ビーム方式検知ユニット（２）それぞれにフェンス（５）の外側または内側近傍に対して赤外線を放射するように赤外線センサユニット（４）を備えてなる防犯センサ（１）。【選択図】図１
2005339065.tif 000002
【特許請求の範囲】
【請求項１】
ビームセンサ部を具備するビーム方式検知ユニット複数を建物の周囲に配設されたフェンスよりも上部に位置するように、かつ、適宜間隔で対向配設させて、隣接する一方のビーム方式検知ユニットのビームセンサ部と他方のビーム方式検知ユニットのビームセンサ部との間で赤外線の送受を行う防犯センサにおいて、ビーム方式検知ユニットそれぞれにフェンスの外側または内側近傍に対して赤外線を放射するように赤外線センサユニットを備えてなることを特徴とする防犯センサ。
【発明の詳細な説明】
【技術分野】
【０００１】
この出願の発明は、防犯センサに関するものである。さらに詳しくは、この出願の発明は、侵入者と、植木等の植栽や小動物、外乱等とを区別して、侵入者に対して効率よく報知や威嚇、警報等を発報することができ、防犯センサとしての信頼性を確保することのできる、新しい防犯センサに関するものである。
【背景技術】
【０００２】
従来、ビームセンサ部（赤外線式検知器）としての送信部（投光器）および受信部（受光器）を対向配置させ、それらの間で赤外線の送受を行い、赤外線が侵入者により遮られた際にこれを検知する防犯センサ（防犯機能付フェンス）が知られている（たとえば、特許文献１）。
【０００３】
この防犯機能付フェンスは、住宅等の建物の周囲に配設された外構用のフェンスの対向する支柱に送信部および受信部を取り付けて対向配置させ、侵入者がフェンスを乗り越える等して赤外線を遮った際に報知や威嚇、警報を行う防犯センサとして利用されている。
【特許文献１】特開平２−２７０７２号公報
【発明の開示】
【発明が解決しようとする課題】
【０００４】
しかしながら、上記特許文献１に記載された防犯機能付フェンスは、防犯センサが検知すべき侵入者と、検知する必要のない植木等の植栽や小動物、外乱等とを区別せずに報知や威嚇、警報等を発報するため、防犯センサとしての信頼性が低下するという問題があった。
【０００５】
そこで、以上のとおりの背景から、この出願の発明は、従来の問題点を解消して、侵入者と、植木等の植栽や小動物、外乱等とを区別して、侵入者に対して効率よく報知や威嚇、警報等を発報することができ、防犯センサとしての信頼性を確保することのできる、新しい防犯センサを提供することを課題としている。
【課題を解決するための手段】
【０００６】
この出願の発明は、上記の課題を解決するものとして、ビームセンサ部を具備するビーム方式検知ユニット複数を建物の周囲に配設されたフェンスよりも上部に位置するように、かつ、適宜間隔で対向配設させて、隣接する一方のビーム方式検知ユニットのビームセンサ部と他方のビーム方式検知ユニットのビームセンサ部との間で赤外線の送受を行う防犯センサにおいて、ビーム方式検知ユニットそれぞれにフェンスの外側または内側近傍に対して赤外線を放射するように赤外線センサユニットを備えてなることを特徴とする防犯センサを提供する。
【発明の効果】
【０００７】
上記のとおりのこの出願の発明によれば、侵入者と、植木等の植栽や小動物、外乱等とを区別して、侵入者に対して効率よく報知や威嚇、警報等を発報することができ、防犯センサとしての信頼性を確保することができる。
【発明を実施するための最良の形態】
【０００８】
この出願の発明は、上記のとおりの特徴をもつものであるが、以下に、添付した図面に沿って、この出願の発明の実施形態について詳細かつ具体的に説明する。
【０００９】
図１は、この出願の発明の防犯センサの一実施形態を模式的に例示した正面図である。図２は、図１の防犯センサを例示した要部拡大図である。
【００１０】
この図１および図２に沿って説明すると、この出願の発明の防犯センサ（１）は、ビームセンサ部（３）としての送信部（３１）または受信部（３２）を具備するビーム方式検知ユニット（２）に、さらに赤外線センサユニット（４）が備えられている。
【００１１】
具体的に説明すると、図１および図２の例では、ビーム方式検知ユニット（２）は、複数のビーム方式検知ユニット（２）を建物の周囲に配設されたフェンスよりも上部に位置するように、かつ、適宜間隔で配設されている支柱（６）を用いて対向配設している。そして、隣接する一方のビーム方式検知ユニット（２）のビームセンサ部としての送信部（３１）と、他方のビーム方式検知ユニット（２）のビームセンサ部（３）としての受信部（３２）の間で、矢印Ａにて示したビーム方式検知ユニット（２）の信号、つまり赤外線の送受を行う。このとき、ビーム方式検知ユニット（２）の信号は、フェンス（５）の上部で送受信されている。
【００１２】
この出願の発明の防犯センサ（１）は、このようなビーム方式検知ユニット（２）それぞれに、フェンス（５）の外側（Ｘ）近傍を監視できるように、矢印Ｂに示したように斜め下方向に赤外線を放射するように赤外線センサユニット（４）を備えていることを特徴としている。なお、図１および図２の例では、この赤外線センサユニット（４）は、フェンス（５）の外側（Ｘ）に配置されているが、後述の図３、図４および図５にて説明するように、フェンス（５）の内側（Ｙ）に配置されていてもよい。
【００１３】
このような構成とすることで、矢印Ａに示したビーム方式検知ユニット（２）の信号と、矢印Ｂに示した赤外線センサユニット（４）から放射される赤外線（信号）のどちらか一方が遮断された後に、続いて他方の信号が遮断されることで、音（音声も含む）や光等による報知や威嚇、警報等が発報される。植木等の植栽や小動物、外乱等の場合は、一方の信号を遮断することはあっても、その後に続いて他方の信号を遮断することは少ない。しかしながら、図１の例のように、侵入者（Ｚ）が、フェンス（５）を乗り越える際には、必然的にビーム方式検知ユニット（２）の信号と赤外線センサユニット（４）の信号の両方が、段階的もしくは同時に遮断されることになるため、この植木等の植栽や小動物、外乱等と侵入者（Ｚ）とにおける相違に基づいて、報知や威嚇、警報等を発報すべき対象の侵入者（Ｚ）と、報知や威嚇、警報等を発報する必要のない対象の植木等の植栽や小動物、外乱等を区別し、効率よく報知や威嚇、警報等を発報することができる。そして、不必要な発報を減らし、防犯センサ（１）の信頼性を確保することができる。なお、侵入者（Ｚ）を検知した情報は、使用者等に伝達させることもできる。
【００１４】
また、必要に応じて、小動物等が防犯センサ（１）の任意の検知エリア内に所定時間（この時間は、使用者が任意に設定できる）以上滞在している場合には、音（音声も含む）や光による警告等を発報して撃退することができるようにしてもよい。侵入者の場合も、同様に音（音声も含む）や光による警告等を発報することで、未然に侵入を防止することを図ることができるようにしてもよい。
【００１５】
図３は、この出願の発明の防犯センサの別の実施形態を模式的に例示した正面図である。図４は、図３の実施形態を例示した背面図である。また、図５は、図３および図４の防犯センサを例示した要部拡大図である。
【００１６】
図３、図４および図５の例は、基本的な点は図１および図２の例と同様であるが、赤外線センサユニット（４）がフェンス（５）の内側（Ｙ）に位置するように備えられている点で異なっている。図３では、侵入者（Ｚ）がフェンス（５）を乗り越えようとする際に、矢印Ａで示したビーム方式検知ユニット（２）の信号が遮断される。次に、図４に示したとおり、この侵入者（Ｚ）がフェンス（５）を乗り越えた後、矢印Ｂに示したフェンス（５）の内側に配置されている赤外線センサユニット（４）の信号が続いて遮断され、防犯センサ（１）が侵入者（Ｚ）を検知して、侵入者（Ｚ）に対して、音（音声も含む）や光等で報知や威嚇、警報等を発する。もちろん、この図３から図５の例でも、侵入者（Ｚ）を検知した情報を使用者等に伝達することができる。
【００１７】
図１から図５の例では、この出願の発明の防犯センサ（１）は、支柱（６）とともにフェンス（５）の外側（Ｘ）または内側（Ｙ）近傍に設置しているが、ビーム方式検知ユニット（２）の信号がフェンス（５）の上部で送受信され、また赤外線センサユニット（４）の信号がフェンス（５）の外側（Ｘ）または内側（Ｙ）近傍に対して、斜め下方向に放射されるのであれば、たとえば、フェンス（５）や塀壁（図示せず）と一体に設置されていてもよい。また、赤外線センサユニット（４）は、信号を斜め下方向に放射するように配置しているが、下方向に放射させてもよい。
【００１８】
また、この出願の発明の防犯センサは、フェンス（５）上のビーム方式検知ユニット（２）の信号の遮断を検知した後、赤外線センサユニット（４）から赤外線（信号）が斜め下方向に放射され、その信号の有無によって、効率的に侵入者（Ｚ）を検知する。つまり、フェンス（５）上のビーム方式検知ユニット（２）は、常に監視状態にあり、フェンス（５）の外側（Ｘ）または内側（Ｙ）近傍を監視する赤外線センサユニット（４）は、フェンス（５）上を監視するビーム方式検知ユニット（２）が異常（侵入者）を検知した後に作動するようにするのが好ましい。このようにすることによって、フェンス（５）の上部を監視するビーム方式検知ユニット（２）と、フェンス（５）の外側（Ｘ）または内側（Ｙ）近傍を監視する赤外線センサユニット（４）とによる2段階の検知によって、フェンス（５）の上部だけの監視と比べて、侵入者（Ｚ）と植栽等の植木や小動物、外乱等とを区別して、効率的に報知や威嚇、警報等を発報でき、誤動作を防止できる。
【００１９】
なお、図には示していないが、ビーム方式検知ユニットが具備するビームセンサ部としての送信部および受信部は、１つのビーム方式検知ユニットに送信部と受信部の両方を混在させて具備させてもよい。
【００２０】
もちろん、この出願の発明の防犯センサは、以上の例示によって限定されるものではなく、その細部において様々な態様とすることが可能である。たとえば、赤外線センサユニットは、特に限定されるものではなく、たとえば反射型センサや焦電センサ等を用いることができる。
【図面の簡単な説明】
【００２１】
【図１】この出願の発明の防犯センサの一実施形態を模式的に例示した正面図である。
【図２】図１の防犯センサを例示した要部拡大図である。
【図３】この出願の発明の防犯センサの別の実施形態を模式的に例示した正面図である。
【図４】図３の実施形態を例示した背面図である。
【図５】図３および図４の防犯センサを例示した要部拡大図である。
【符号の説明】
【００２２】
１  防犯センサ
２  ビーム方式検知ユニット
３  ビームセンサ部
３１  送信部
３２  受信部
４  赤外線センサユニット
５  フェンス
６  支柱
Ｚ  侵入者
【図１】
2005339065.tif 000003
【図２】
2005339065.tif 000004
【図３】
2005339065.tif 000005
【図４】
2005339065.tif 000006
【図５】
2005339065.tif 000007